(57)【特許請求の範囲】
【請求項１】
メッキ液（Ａ）中に入れられてメッキ処理される略平板状のワーク（Ｗ）を懸垂状態に支持し、電流を陰極バー（Ｂ）から前記ワークへ通電する電気メッキ装置におけるワークハンガー（１）であり、このワークハンガーは、前記陰極バーに横移動自在に吊り下げ支持される支持機能と該陰極バーに導電的に接続される接触機能とを併せ持つ支持部材（２）と、この支持部材の下部に該支持部材と一体的に構成されるか又は前記支持部材の下部に導電的に接続されるように面接触状態に固着され、前記ワークの横長辺の方向に沿って延ばされた横長基板（３）と、この横長基板にそれぞれ取付けられ、前記ワークの上部を挟持し、該ワークを懸垂状態に吊り下げ支持する複数の挟持用クリップ（４）とから構成され、電流を前記陰極バーから前記支持部材、前記横長基板、前記挟持用クリップを経て、各挟持用クリップから前記ワークへ通電されるように前記ワークハンガーの前記各構成部分である前記支持部材、前記横長基板及び前記挟持用クリップを導電性材料で形成してあり、前記挟持用クリップ（４）は、上部を前記横長基板に導電的に接続されるように面接触状態に固着され下部に固定側接点（７）を設けた固定側挟持杆（５）と、この固定側挟持杆の中間部に軸ピン（１０）を介してその中間部を枢着された可動側挟持杆（６）とを備え、この可動側挟持杆の下部に前記固定側接点と対向する可動側接点（８）を設け、前記固定側挟持杆の上部側と前記可動側挟持杆の上部側の間にコイルバネなどの弾性部材（１１）を介装し、この弾性部材の弾力によって前記軸ピンを支点として前記可動側接点を前記固定側接点に対して閉じる方向に付勢してあり、前記固定側接点に対して閉じられた前記可動側接点との間で前記ワークの上部を挟持できるように構成してあり、前記固定側接点を前記固定側挟持杆の下部から対向方向へ向けて突出された突部（１２）の対向面にて形成し、前記可動側接点を前記可動側挟持杆の下部に取付けられた可動体（１３）の対向面にて形成し、前記可動体の対向面すなわち可動側接点を前記可動側挟持杆から対向方向へ向けて突出するように配設し、前記可動体は該可動体の対向面すなわち前記可動側接点を前記固定側接点に対して互いの接触面が正対して向き合う角度に変位可能となるように前記可動側挟持杆の下部に支持軸（１４）を介して該可動体の対向面すなわち可動側接点が上下方向に回動されるように軸支され、前記可動体の対向面すなわち前記可動側接点を前記ワークの厚さの変化に対応させて前記ワークのワーク面と面接触される回動角度でワークを挟持できるように構成し、前記ワークと共にメッキ液中に入れられる前記固定側挟持杆と前記可動側挟持杆の各下部側をそれぞれ着脱自在に被嵌する絶縁キャップ（２０）を設け、これらの絶縁キャップは、弾力性を有する非導電性物質で形成され、前記固定側接点と可動側接点の被嵌部位にこれらの接点のみ露出させる開口部（２１）を形成したことを特徴とする電気メッキ装置におけるクリップ式のワークハンガー。
【請求項２】
請求項１のワークハンガーにおいて、前記可動体（１３）を直方形態に形成し、この可動体の一面を前記可動側接点（８）として機能させ、前記可動側挟持杆（６）の下端部に対向方向に向けられた断面逆凹部状の溝部（１５）を形成し、この溝部内に前記可動体を該可動体の前記可動側接点が前記溝部内から対向方向へ向けて突出されるように配設し、この配設状態において前記溝部内に該溝部と直交する方向に架設されて固着された前記支持軸（１４）を前記可動体に形成した貫通孔（１６）内に軸通させることによって該可動体の前記可動側接点が前記支持軸を中心にして上下方向に回動されるように構成し、前記可動体は該可動体の両側壁が前記溝部の対向側壁に沿って摺動されながら回動されるように構成され、前記溝部内の頂部面と前記可動体の頂部面との間に前記可動体の回動を許容し且つ回動範囲を規制する隙間（１７）を形成したことを特徴とする電気メッキ装置におけるクリップ式のワークハンガー。
【請求項３】
請求項１のワークハンガーにおいて、前記固定側接点（７）は、前記固定側挟持杆（５）と成る板状部材の対向面側の下方部を前記突部（１２）の形態を残して切削し、その突部の頂部面を固定側接点（７）として形成したことを特徴とする電気メッキ装置におけるクリップ式のワークハンガー。
【請求項４】
請求項１のワークハンガーにおいて、前記絶縁キャップ（２０）は弾力性を有する非導電性物質であるゴム材で形成され、このゴム製の絶縁キャップに前記開口部（２１）を囲む突縁部（２２）を一体に形成し、前記突縁部は、前記突部（１２）の周壁又は前記可動体の突出部分の周壁を密接的に被うように形成され、且つ各接点の突出位置よりわずかに突出させて形成したことを特徴とする電気メッキ装置におけるクリップ式のワークハンガー。
【請求項５】
請求項４のワークハンガーにおいて、前記絶縁キャップ（２０）は弾力性を有する非導電性物質であるシリコンゴムで形成されたことを特徴とする電気メッキ装置におけるクリップ式のワークハンガー。
【請求項６】
請求項１、２又は３のワークハンガーにおいて、前記固定側接点（７）及び前記可動側接点（８）を矩形状接点に形成したことを特徴とする電気メッキ装置におけるクリップ式のワークハンガー。
【発明の詳細な説明】
【０００１】
【発明の属する技術分野】
本発明は、電気メッキ装置におけるクリップ式のワークハンガーに係るものであり、陰極バーからワークへの通電効率を高めると共に、ワークをクランプする接点部の接触不良を防止して確実な通電を行えるようにし、特に略平板状のワークの厚さの変化に対しても安定して通電及び支持できるようにしたワークハンガーに関する。
【０００２】
【従来の技術】
電気メッキ装置において用いられるワークハンガーは、メッキ液中に入れられてメッキ処理されるワークを支持し、電流を陰極バーから前記ワークへ通電するものである。プリント基板などの略平板状のワークに使用されるワークハンガーとして、本出願人は従来から、前記陰極バーに横移動自在に吊り下げ支持される支持機能と該陰極バーに導電的に接続される接触機能とを併せ持つ支持部材と、この支持部材の下部に該支持部材と一体的に構成されるか又は前記支持部材の下部に導電的に接続されるように面接触状態に固着され、前記ワークの横長辺の方向に沿って延ばされた横長基板と、この横長基板にそれぞれ取付けられ、前記ワークの上部を挟持し、該ワークを懸垂状態に吊り下げ支持する複数の挟持用クリップとから構成したものを用いている。
【０００３】
そして、前記挟持用クリップとして、本出願人は従来から、上部を前記横長基板に導電的に接続されるように面接触状態に固着され下部に固定側接点を設けた固定側挟持杆と、この固定側挟持杆の中間部に軸ピンを介してその中間部を枢着された可動側挟持杆とを備え、この可動側挟持杆の下部に前記固定側接点と対向する可動側接点を設け、前記固定側挟持杆の上部側と前記可動側挟持杆の上部側の間にコイルバネなどの弾性部材を介装し、この弾性部材の弾力によって前記軸ピンを支点として前記可動側接点を前記固定側接点に対して閉じる方向に付勢してあり、前記固定側接点に対して閉じられた前記可動側接点との間で前記ワークの上部を懸垂状態に挟持できるように構成したものを用いている。
【０００４】
本出願人がすでに用いている前述したクリップ式のワークハンガーは、図９にその接点部を示すように、略平板状のワークＷと共にメッキ液Ａ中に入れられる挟持用クリップの下部側すなわち前記固定側挟持杆５及び前記可動側挟持杆６の各下部側を各接点（固定側接点７と可動側接点８）を除いて塩化ビニル樹脂から成る非導電性層３０にて被覆し、各接点７，８を前記非導電性層３０からわずかに突出させるか、又は前記非導電性層３０の表面とほぼ同じ高さに形成している。また、図９に示したクリップ式のワークハンガーは、各接点７，８を前記固定側挟持杆５及び前記可動側挟持杆６に対して両接点とも固定的に設けた、いわゆる両接点固定型に構成されている。
【０００５】
【発明が解決しようとする課題】
従来の技術で述べた、いわゆる両接点固定型のクリップ式のワークハンガーは、クランプされるワークの厚さが一定の場合に面接触されるように設定してあるため、平板状のワークの厚さが変化した場合、この厚さの変化によって挟持位置が変位される前記可動側挟持杆６の可動側接点８が前記ワークＷのワーク面と面接触されずに線接触あるいは点接触となってしまう。したがって、ワークが設定以外の厚さに変化した場合、ワークを確実に挟持できず安定した支持ができず、しかも、陰極バーから挟持用クリップを経てワークへ電流を通電する場合、ワーク面に対して面接触状態にある固定側接点を介してワークへ主に通電され、ワーク面に対して線接触あるいは点接触状態にある可動側接点からはワークへ余り通電されず、全体として挟持用クリップからワークへの通電効率が劣るものであった。このような実情に鑑み、本発明の第一の課題は略平板状のワークを設定以外の厚さのワークに交換した場合でも可動側接点がワーク面に対して確実に面接触されるようにして、固定側接点との間でワークを確実に挟持できるようにすると共に可動側接点側からもワークへ効率良く通電されるようにし、全体として前記挟持用クリップからワークへの導電効率を上げることができるようにしたクリップ式のワークハンガーを提供することである。
【０００６】
また、従来の技術で述べたクリップ式のワークハンガーは、ワークと共にメッキ液中に入れられる挟持用クリップの下部側すなわち前記固定側挟持杆５及び前記可動側挟持杆６の各下部側を各接点（固定側接点７と可動側接点８）を除いて塩化ビニル樹脂から成る非導電性層３０にて被覆し、各接点７，８を前記非導電性層３０からわずかに突出させるか、又は前記非導電性層３０の表面とほぼ同じ高さに形成している。このため、図９に示したように、前記非導電性層３０からわずかに突出された各接点７，８によって前記ワークＷ面と前記非導電性層３０との間に各接点７，８の周壁を露出させた隙間が生じ、この隙間から絶縁されていない各接点の周壁はもとよりワーク面に接触された各接点７，８にもメッキ液が浸入し、各接点及び各接点の周壁に貝殻形状のメッキ塊Ｐが生成され付着される弊害があった。このため、各接点及び各接点の周壁に付着された貝殻形状のメッキ塊Ｐによってワークとの接触不良が生じ通電不良を生じる弊害があった。しかも、貝殻形状のメッキ塊Ｐを各接点及び各接点の周壁から取り除く作業を行う必要があるが、貝殻形状のメッキ塊Ｐは各接点及び各接点の周壁にしっかり付着されているため取り除き作業は極めて困難であった。また、長期の使用により劣化した被覆体（前記非導電性層３０）は約６ヶ月のサイクルで交換されているが、弾力性に乏しい塩化ビニル樹脂から成る被覆体では取り替え作業が困難であった。このような実情に鑑み、本発明の第二の課題はメッキ液中に入れられる挟持用クリップの下部側をワークと接触される各接点を除いて確実に絶縁できるようにし、従来のワークハンガーのように各接点及び各接点の周壁に貝殻形状のメッキ塊が生成され付着される弊害を解消し、ワークをクランプする各接点の接触不良を防止して確実な通電を行えるようにし、更に消耗品である絶縁被覆体を簡単に取り替えることが出来るようにしたクリップ式のワークハンガーを提供することである。
【０００７】
【課題を解決するための手段】
本発明に係る電気メッキ装置におけるクリップ式のワークハンガーは、メッキ液（Ａ）中に入れられてメッキ処理される略平板状のワーク（Ｗ）を懸垂状態に支持し、電流を陰極バー（Ｂ）から前記ワークへ通電する電気メッキ装置におけるワークハンガー（１）であり、このワークハンガーは、前記陰極バーに横移動自在に吊り下げ支持される支持機能と該陰極バーに導電的に接続される接触機能とを併せ持つ支持部材（２）と、この支持部材の下部に該支持部材と一体的に構成されるか又は前記支持部材の下部に導電的に接続されるように面接触状態に固着され、前記ワークの横長辺の方向に沿って延ばされた横長基板（３）と、この横長基板にそれぞれ取付けられ、前記ワークの上部を挟持し、該ワークを懸垂状態に吊り下げ支持する複数の挟持用クリップ（４）とから構成され、電流を前記陰極バーから前記支持部材、前記横長基板、前記挟持用クリップを経て、各挟持用クリップから前記ワークへ通電されるように前記ワークハンガーの前記各構成部分である前記支持部材、前記横長基板及び前記挟持用クリップを導電性材料で形成してあり、前記挟持用クリップ（４）は、上部を前記横長基板に導電的に接続されるように面接触状態に固着され下部に固定側接点（７）を設けた固定側挟持杆（５）と、この固定側挟持杆の中間部に軸ピン（１０）を介してその中間部を枢着された可動側挟持杆（６）とを備え、この可動側挟持杆の下部に前記固定側接点と対向する可動側接点（８）を設け、前記固定側挟持杆の上部側と前記可動側挟持杆の上部側の間にコイルバネなどの弾性部材（１１）を介装し、この弾性部材の弾力によって前記軸ピンを支点として前記可動側接点を前記固定側接点に対して閉じる方向に付勢してあり、前記固定側接点に対して閉じられた前記可動側接点との間で前記ワークの上部を挟持できるように構成したものであり、特に、前記した第一の課題を解決するため、前記固定側接点を前記固定側挟持杆の下部から対向方向へ向けて突出された突部（１２）の対向面にて形成し、前記可動側接点を前記可動側挟持杆の下部に取付けられた可動体（１３）の対向面にて形成し、前記可動体の対向面すなわち可動側接点を前記可動側挟持杆から対向方向へ向けて突出するように配設し、前記可動体は該可動体の対向面すなわち前記可動側接点を前記固定側接点に対して互いの接触面が正対して向き合う角度に変位可能となるように前記可動側挟持杆の下部に支持軸（１４）を介して該可動体の対向面すなわち可動側接点が上下方向に回動されるように軸支され、前記可動体の対向面すなわち前記可動側接点を前記ワークの厚さの変化に対応させて前記ワークのワーク面と面接触される回動角度でワークを挟持できるように構成し、前記ワークと共にメッキ液中に入れられる前記固定側挟持杆と前記可動側挟持杆の各下部側をそれぞれ着脱自在に被嵌する絶縁キャップ（２０）を設け、これらの絶縁キャップは、弾力性を有する非導電性物質で形成され、前記固定側接点と可動側接点の被嵌部位にこれらの接点のみ露出させる開口部（２１）を形成したことを特徴としている。
【０００８】
また、本発明に係る電気メッキ装置におけるクリップ式のワークハンガーは、前記した第二の課題を解決するため、前記絶縁キャップ（２０）は弾力性を有する非導電性物質であるゴム材で形成され、このゴム製の絶縁キャップに前記開口部（２１）を囲む突縁部（２２）を一体に形成し、前記突縁部は、前記突部（１２）の周壁又は前記可動体の突出部分の周壁を密接的に被うように形成され、且つ各接点の突出位置よりわずかに突出させて形成したことを特徴とする。更に、前記絶縁キャップ（２０）は弾力性を有する非導電性物質であるシリコンゴムで形成されたことを特徴とするものである。
【０００９】
【発明の実施の形態】
本発明の実施の形態について図面を参照して説明する。図１は本発明の一部縦断側面図、図２は本発明の正面図、図３は薄板状ワークの挟持状態を示した本発明の挟持用クリップ部の拡大側面図、図４は厚板状ワークの挟持状態を示した本発明の挟持用クリップ部の拡大側面図、図５は本発明の挟持用クリップ部を固定側と可動側に分離し、それぞれ挟持方向から看た拡大分解正面図、図６は可動側挟持杆の下部側を拡大して示す側面図、図７は可動側挟持杆の下部側を挟持方向から看た拡大正面図、図８は可動側挟持杆の下部側に絶縁キャップを装着する状態を説明的に示した側面図である。
【００１０】
図中、符号１は電気メッキ装置において用いられるワークハンガーであり、このワークハンガー１は、メッキ液Ａ中に入れられてメッキ処理されるプリント基板などの略平板状のワークＷを懸垂状態に支持し、電流を陰極バーＢから前記ワークＷへ通電するものである。このワークハンガー１は、前記陰極バーＢに横移動自在に吊り下げ支持される支持機能と該陰極バーＢに導電的に接続される接触機能とを併せ持つ支持部材２と、この支持部材２の下部に導電的に接続されるように固定ボルトＣ１によって面接触状態に固着され、前記ワークＷの横長辺の方向に沿って延ばされた長方形状の横長基板３と、この横長基板３に該横長基板３の横長方向に適宜間隔を配してそれぞれ取付けられ、前記ワークＷの上部を挟持し、該ワークＷを懸垂状態に吊り下げ支持する複数（図では４個）の挟持用クリップ４とから構成されている。電流を前記陰極バーＢから前記支持部材２、前記横長基板３、前記挟持用クリップ４を経て、各挟持用クリップ４から前記ワークＷへ通電されるように前記ワークハンガー１の前記各構成部分（前記支持部材２、前記横長基板３及び前記挟持用クリップ４）を導電性材料で形成してある。具体的には電導度や引張り強さを考慮して、前記支持部材２と前記挟持用クリップ４はステンレス鋼、前記横長基板３は銅又は黄銅で形成している。
【００１１】
前記挟持用クリップ４は、上部を前記横長基板３に導電的に接続されるように面接触状態に固定ボルトＣ２によって固着され、下部に固定側接点７を設けた固定側挟持杆５と、この固定側挟持杆５の中間部に固着されたブラケット９に軸ピン１０を介してその中間部を枢着された可動側挟持杆６とを備え、この可動側挟持杆６の下部に前記固定側接点７と対向する可動側接点８を設けている。更に、前記固定側挟持杆５の上部側と前記可動側挟持杆６の上部側の間にコイルバネから成る弾性部材１１を介装し、この弾性部材（コイルバネ）１１の弾力によって前記軸ピン１０を支点として前記可動側接点８を前記固定側接点７に対して閉じる方向に付勢してあり、前記固定側接点７に対して閉じられた前記可動側接点８との間で前記ワークＷの上部を懸垂状態に挟持できるように構成してある。前記弾性部材（コイルバネ）１１の弾力に抵抗して前記可動側挟持杆６の上部側を前記固定側挟持杆５の上部側に向けて押圧すれば、前記可動側接点８は前記固定側接点７から離れる方向に移動され、各接点は開放される。なお、前記挟持用クリップ４に対する前記ワークＷの装着又は脱着に際して、各挟持用クリップ４の可動側挟持杆６の上部側を前記弾性部材（コイルバネ）１１の弾力に抵抗して同時に押圧して行うが、この押圧は図示しない機械的な強制力を用いて行われる。
【００１２】
前記固定側接点７は、前記固定側挟持杆５の下部から対向方向へ向けて突出された突部１２の対向面（頂部面）にて形成される。この対向面（頂部面）すなわち前記固定側接点７は、図５（ａ）に示すように接触面を矩形状とした矩形状接点に形成してある。前記突部１２（前記固定側接点７）の形成手段として図示した実施形態では、前記固定側挟持杆５と成るステンレス鋼製の板体の対向面側の下方部を前記突部１２の形態を残して切削し、前記固定側挟持杆５と前記突部１２（前記固定側接点７）とを一体的に形成してある。このように前記突部１２（前記固定側接点７）を前記固定側挟持杆５から一体形成してあるため、前記可動側挟持杆６に比して構造的にワークへの通電効率が本来的に高い前記固定側挟持杆５側からの通電効率を更に高めることが出来る。尚、図面に示した前記突部１２の突出幅は約３ｍｍに形成してある。
【００１３】
前記可動側接点８は、前記可動側挟持杆６の下部に取付けられた可動体１３の対向面にて形成され、この可動体１３の対向面すなわち可動側接点８は前記可動側挟持杆６から対向方向へ向けて突出するように配設される。この配設状態において、前記可動体１３は、該可動体１３の対向面すなわち可動側接点８を前記固定側接点７に対して互いの接触面が正対して向き合う角度に変位可能となるように前記可動側挟持杆６の下部に支持軸１４を介して該可動体１３の対向面すなわち可動側接点８が上下方向に回動（図６に矢印で示す）されるように軸支され、前記可動体１３の対向面すなわち可動側接点８を前記ワークＷの厚さの変化に対応させて前記ワークＷのワーク面と面接触される回動角度でワークＷを挟持できるように構成されている。
【００１４】
前記可動体１３すなわち可動側接点８について図示の実施形態に基づいて更に具体的に説明する。前記可動体１３は直方形態に形成され、この可動体１３の一面を前記可動側接点８として機能させている。この可動側接点８は図５（ｂ）及び図７で示すように接触面を矩形状とした矩形状接点に形成されている。前記可動側挟持杆６の下端部に対向方向に向けられた断面逆凹部状の溝部１５を形成している。この溝部１５内に前記可動体１３を該可動体１３の前記可動側接点８が前記溝部１５内から対向方向へ向けて突出されるように配設し、この配設状態において、前記溝部１５内に該溝部１５と直交する方向に架設されて固着された前記支持軸１４を前記可動体１３に形成した貫通孔１６内に軸通させることによって該可動体１３の前記可動側接点８が前記支持軸１４を中心にして上下方向に回動（図６に矢印で示す）されるように構成されている。前記貫通孔１６の内面は前記支持軸１４の周りを回転方向に摺動されるように構成され、また前記可動体１３は該可動体１３の両側壁が前記溝部１５の対向側壁に沿って摺動されながら回動されるように構成されている。このように前記可動体１３を摺動的に回動させることによって、前記可動体１３への導電効率の低下を防止している。前記溝部１５内の頂部面と前記可動体の頂部面との間に前記可動体の回動を許容し且つその回動範囲を前記可動側接点８が前記固定側接点７の方向に向けられた上下範囲に規制する隙間１７を形成してある。尚、図面に示した前記可動体１３の突出幅は約３ｍｍに形成してある。
【００１５】
前記ワークＷと共にメッキ液Ａ中に入れられる前記固定側挟持杆５と前記可動側挟持杆６の各下部側をそれぞれ着脱自在に被嵌する絶縁キャップ２０を設け、これらの絶縁キャップ２０は、弾力性を有する非導電性物質で形成され、前記固定側接点７と可動側接点８の被嵌部位にこれらの接点のみ露出させる開口部２１を形成してある。前記絶縁キャップ２０は弾力性を有する非導電性物質であるゴム材（シリコンゴム）で形成され、このシリコンゴム製の絶縁キャップ２０に前記開口部２１を囲む突縁部２２を一体的に形成してある。前記突縁部２２は、前記突部１２の周壁又は前記可動体１３の突出部分の周壁を密接的に被うように形成され、且つ各接点７，８の突出位置よりわずかに突出させて形成してある。前記突縁部２２は、各接点７，８の突出位置よりわずかに突出させて形成してあるが、各接点７，８を開けた状態では各接点７，８より突出された状態にあり、各接点７，８を閉じた状態では前記ワークＷを挟んで各接点７，８が圧接されるように変形される。このようにして、前記ワークＷと共にメッキ液Ａ中に入れられる前記固定側挟持杆５と前記可動側挟持杆６の各下部側は、各接点７，８を除いて前記絶縁キャップ２０によってメッキ液Ａから確実に隔絶され確実に絶縁される。また、シリコンゴム製の前記キャップ２０は、特に優れた弾力性を有しているため、図８に示したように、その装脱着に際しては、各接点７，８の突出形態に対応して容易に変形されることから、挟持用クリップへの装着あるいは挟持用クリップからの脱着が容易であり、絶縁被覆体（絶縁キャップ）の取り替え作業を簡単に行うことが出来る。
【００１６】
図１，２において、符号２５は導電線であり、この導電線２５を介して前記挟持用クリップ４の各可動側挟持杆６の上部側と前記横長基板３とをそれぞれ導電的に接続している。前記導電線２５は例えば銅線を塩化ビニル樹脂で被覆したもので、この導電線２５の接続端部は固定ボルトを介して前記横長基板３や前記可動側挟持杆６の上部側に固着されている。前記挟持用クリップ４の各可動側挟持杆６の上部側と前記横長基板３とを前記導電線２５を介してそれぞれ導電的に接続したことによって、陰極バーＢから前記挟持用クリップ４を経てワークＷへ電流を通電する場合、陰極バーＢから導電性部材（前記支持部材２や前記横長基板３）の面接触部を経由して通電された電流は、前記導電性部材に面接触状態に固着された前記挟持用クリップ４の一方の挟持杆（前記固定側挟持杆５）を介してワークＷへ通電されると共に、前記挟持用クリップ４の他方の挟持杆（前記可動側挟持杆６）からもワークＷへ効率良く通電され、全体として前記挟持用クリップ４からワークＷへの導電効率を上げることができ、陰極バーＢからワークＷへの導電効率を高めることができる。
【００１７】
【発明の効果】
請求項１、２に記載した本発明に係る電気メッキ装置におけるクリップ式のワークハンガーによれば、前記固定側接点を前記固定側挟持杆の下部から対向方向へ向けて突出された突部（１２）の対向面にて形成し、前記可動側接点を前記可動側挟持杆の下部に取付けられた可動体（１３）の対向面にて形成し、前記可動体の対向面すなわち可動側接点を前記可動側挟持杆から対向方向へ向けて突出するように配設し、前記可動体は該可動体の対向面すなわち前記可動側接点を前記固定側接点に対して互いの接触面が正対して向き合う角度に変位可能となるように前記可動側挟持杆の下部に支持軸（１４）を介して該可動体の対向面すなわち可動側接点が上下方向に回動されるように軸支され、前記可動体の対向面すなわち前記可動側接点を前記ワークの厚さの変化に対応させて前記ワークのワーク面と面接触される回動角度でワークを挟持できるように構成したことによって、略平板状のワークを設定以外の厚さのワークに交換した場合でも可動側接点がワーク面に対して確実に面接触され、固定側接点との間でワークを確実に挟持できると共に可動側接点側からもワークへ効率良く通電され、全体として前記挟持用クリップからワークへの導電効率を上げることができ、陰極バーからワークへの導電効率を高めることができる。
【００１８】
また、請求項４、５に記載した本発明に係る電気メッキ装置におけるクリップ式のワークハンガーによれば、ワークと共にメッキ液中に入れられる挟持用クリップの下部側において、各接点（前記固定側接点，前記可動側接点）はワーク面に対して確実に面接触されており、各接点を除く前記固定側挟持杆と前記可動側挟持杆の各下部側は弾力性を有する非導電性物質であるゴム材（好ましくは優れた弾力性を有するシリコンゴム）で形成された絶縁キャップ（２０）で被嵌されることによって、各接点む含む挟持用クリップの下部側をメッキ液から確実に隔絶でき確実に絶縁できる。したがって、本考案によれば、従来のワークハンガーのように接点を含む接点周りに貝殻形状のメッキ塊が生成され付着される弊害を解消でき、ワークをクランプする接点の接触不良を防止して確実な通電を可能にするものである。更に、シリコンゴムで形成された前記絶縁キャップによれば、特に優れた弾力性を有しているため、その装脱着に際しては、各接点の突出形態に対応して容易に変形されることから、挟持用クリップへの装着あるいは挟持用クリップからの脱着が容易であり、絶縁被覆体（絶縁キャップ）の取り替え作業を簡単に行うことが出来る。
【図面の簡単な説明】
【図１】本発明の一部縦断側面図である。
【図２】本発明の正面図である。
【図３】薄板状ワークの挟持状態を示した本発明の挟持用クリップ部の拡大側面図である。
【図４】厚板状ワークの挟持状態を示した本発明の挟持用クリップ部の拡大側面図である。
【図５】本発明の挟持用クリップ部を固定側と可動側に分離し、それぞれ挟持方向から看た拡大分解正面図である。
【図６】本発明の可動側挟持杆の下部側を拡大して示す側面図である。
【図７】本発明の可動側挟持杆の下部側を挟持方向から看た拡大正面図である。
【図８】本発明の可動側挟持杆の下部側に絶縁キャップを装着する状態を説明的に示した側面図である。
【図９】従来のワークハンガーの接点部を示す拡大縦断側面図である。
【符号の説明】
１  ワークハンガー
Ｗ  ワーク
Ａ  メッキ液
Ｂ  陰極バー
２  支持部材
３  横長基板
４  挟持用クリップ
５  固定側挟持杆
６  可動側挟持杆
７  固定側接点
８  可動側接点
１０  軸ピン
１１  弾性部材（コイルバネ）
１２  突部
１３  可動体
１４  支持軸
１５  溝部
１６  貫通孔
１７  隙間
２０  絶縁キャップ
２１  開口部
２２  突縁部
２５  導電線
【図１】
0003677488.tif 000002
【図２】
0003677488.tif 000003
【図３】
0003677488.tif 000004
【図４】
0003677488.tif 000005
【図５】
0003677488.tif 000006
【図６】
0003677488.tif 000007
【図７】
0003677488.tif 000008
【図８】
0003677488.tif 000009
【図９】
0003677488.tif 000010